(57)【要約】【課題】  扱胴の下方に沿って配備した受網を周方向に分割するとともに、脱穀装置の側部にカバーで開閉される点検口を形成し、受網の点検口側の受網部分を開放した点検口から脱着可能に構成した脱穀装置の受網脱着構造において、受網部分の脱着作業を容易に行えるようにする。【解決手段】  受網部分１８ｂの内端部３７を扱胴下方に固定された支持枠２８に脱着自在に係止するとともに、受網部分１８ｂの外端部を閉じられたカバー３４によって所定取り付け位置に押圧固定するよう構成してある。【選択図】        図１１
2006311820.tif 000002
【特許請求の範囲】
【請求項１】
扱胴の下方に沿って配備した受網を周方向に分割するとともに、脱穀装置の側部にカバーで開閉される点検口を形成し、前記受網の前記点検口側の受網部分を開放した点検口から脱着可能に構成した脱穀装置の受網脱着構造であって、
脱着される受網部分の内端部を扱胴下方に固定された支持枠に脱着自在に係止するとともに、受網部分の外端部を閉じられたカバーによって所定取り付け位置に押圧固定するよう構成してあることを特徴とする脱穀装置の受網脱着構造。
【請求項２】
前記受網部分の外端部を所定取り付け位置に仮り受け支持する係止部材を脱穀フレームに装備するとともに、この係止部材を受網係止方向に付勢してある請求項１記載の脱穀装置の受網脱着構造。
【請求項３】
前記係止部材の係止解除方向への移動を、閉じ位置の前記カバーで押圧阻止するよう構成してある請求項２記載の脱穀装置の受網脱着構造。
【請求項４】
前記カバーを脱穀フレームに揺動開閉可能に枢支し、このカバーの支点近傍に受網押圧固定用の押圧作用部を備えてある請求項１〜３のいずれか一項に記載の脱穀装置の受網脱着構造。
【発明の詳細な説明】
【技術分野】
【０００１】
本発明は、脱穀装置の側部に揺動自在なカバーで開閉される点検口を形成し、扱胴の下方に沿って配備した周方向分割式の受網の前記点検口側の受け網部分を開放した点検口から脱着可能に構成した脱穀装置の受網脱着構造に関する。
【背景技術】
【０００２】
上記受網脱着構造としては、例えば、特許文献１に開示されているように、脱着される受網部分をカバーに一体支持して、カバーを開けることで受網部分を扱胴下方の取り付け位置から点検口の外方にまで移動させるように構成したものや、あるいは、特許文献２に開示されているように、脱着される受網部分を脱穀フレームにねじ締め連結し、カバーを開けて露出した受網部分を脱穀フレームから脱着するよう構成したものが知られている。
【０００３】
【特許文献１】特開平８−７０６８０号公報
【特許文献２】特開平１１−１５５３４７号公報
【発明の開示】
【発明が解決しようとする課題】
【０００４】
特許文献１で示される前者の構造においては、カバーを開放するだけで受網部分もカバーと一体に外されるので、扱室の内部の詰まりを除去するような作業には便利であるが、受網部分を単体で補修したり交換するためには工具を使ってカバーから受網部分を取り外したり取り付けたりする必要があり、煩わしい作業となるものであった。
【０００５】
また、扱室下方の選別部の整備や清掃を行う場合、カバーと一体に受網部分が外されて扱室の一部が開放されるために、カバーを開いたとたんに扱室に残留している処理物が選別部に落下してしまい、選別部の整備や清掃の邪魔になることがあった。
【０００６】
また、特許文献２で示される前者の構造においては、カバーを開けたとたんに扱室の一部が開放されることはないが、受網部分を単体で補修したり交換するためには、受網部分の内端部と外端部でネジ操作を行って受網部分を取り外したり取り付けたりする必要があり、煩わしい作業となるものであった。
【０００７】
本発明は、このような点に着目してなされたものであって、受網部分の脱着作業を容易に行えるようにすることを主たる目的としている。
【課題を解決するための手段】
【０００８】
第１の発明は、扱胴の下方に沿って配備した受網を周方向に分割するとともに、脱穀装置の側部にカバーで開閉される点検口を形成し、前記受網の前記点検口側の受網部分を開放した点検口から脱着可能に構成した脱穀装置の受網脱着構造であって、
脱着される受網部分の内端部を扱胴下方に固定された支持枠に脱着自在に係止するとともに、受網部分の外端部を閉じられたカバーによって所定取り付け位置に押圧固定するよう構成してあることを特徴とする。
【０００９】
上記構成によると、カバーを開放すると受網部分の外端部の押圧支持が解除されることになり、受網部分の内端部を支持枠から外すことで受網部分を点検口から抜き出すことができる。逆に、点検口から挿し入れた受網部分の内端部を支持枠に係止して受網部分の外端部を所定取り付け位置にしてカバーを閉じることで、受網部分を所定の姿勢に固定することができる。
【００１０】
従って、第１の発明によると、開閉自在なカバーが脱着自在な受網部分を所定姿勢に固定保持する部材として利用するので、受網部分を脱着するために工具が不要であり、受網部分の脱着作業性に優れたものとなった。
【００１１】
第２の発明は、上記第１の発明において、
前記受網部分の外端部を所定取り付け位置に仮り受け支持する係止部材を脱穀フレームに装備するとともに、この係止部材を受網係止方向に付勢してあるものである。
【００１２】
上記構成によると、受網部分の外端部は係止部材で弾性係止されているので、カバーを開放しただけでは受網部分は所定の取り付け姿勢に保持されており、扱室内に残っている処理物が直ちに下方の選別部に落下してしまうことはない。また、係止部材を付勢力に抗して係止解除位置に移動操作することで受網部分の外端部が自由となり、受網部分を点検口から抜き出すことが可能となる。
【００１３】
受網部分の装着に際しては、先ず、受網部分を点検口に挿入してその内端部を支持枠に係止し、次に、受網部分の外端部を所定の取り付け位置に移動させる。この場合、係止部材を付勢力に抗して移動させておき、受網部分の外端部を所定の取り付け位置に移動させた状態で係止部材を付勢揺動させることで、受網部分の外端部を所定の取り付け位置に仮り受け保持しておくことができる。その後、カバーを閉じて固定することで受網部分が適正な作用位置に固定されることになる。
【００１４】
従って、カバーの開閉と受網部分の脱着を工具なしに順番に行うことができ、受網部分の脱着作業性が一層に優れたものとなる。
【００１５】
第３の発明は、上記第２の発明において、
前記係止部材の係止解除方向への移動を、閉じ位置の前記カバーで押圧阻止するよう構成してあるものである。
【００１６】
上記構成によると、カバーを閉じることで係止部材が受網部分の外端部を係止した位置に強固に固定されることになり、受網部分の外端部以外の箇所をカバーで直接に押圧支持する場合に比べて受網部分の漏下面積を確保しておくことができる。
【００１７】
第４の発明は、上記第１〜３のいずれか一つの発明において、
前記カバーを脱穀フレームに揺動開閉可能に枢支し、このカバーの支点近傍に受け網押圧固定用の押圧作用部を備えてあるものである。
【００１８】
上記構成によると、脱穀作業中に受網部分に作用する外向きの力はカバーの枢支部近傍、つまり、強度の高いカバー部位で受け止められることになり、カバーを変形させるようなことなく受網部分の固定機能が確実に発揮される。
【発明を実施するための最良の形態】
【００１９】
図１に、本発明に係るコンバインの全体側面が、また、図２に、その全体平面がそれぞれ示されている。このコンバインは、左右一対のクローラ走行装置１を備えた走行機体２にキャビン付きの運転部３、全稈投入式に構成された軸流型の脱穀装置４、および、スクリュー式のアンローダ５を備えた穀粒タンク６が搭載されるとともに、脱穀装置４の前部に支点ｐ周りに上下揺動自在に連結された刈取り作物搬送用のフィーダ７が配備され、このフィーダ７の前端に機体横幅と略同幅の刈幅を有する刈取り部８が連結された構造となっている。
【００２０】
前記刈取り部８は、バリカン型の刈取り装置９と、刈り取った作物を横送りして前記フィーダ７の始端部に送り込むオーガ１０が架設された構造となっており、フィーダ７と走行機体２との間に架設された油圧シリンダ１１の伸縮作動によって刈取り部８がフィーダ７と一体に揺動昇降されるようになっている。また、刈取り部８の前部上方に、植立した作物を後方に掻き込む掻込みリール１２が装備されている。
【００２１】
図３に示すように、前記脱穀装置４の上半部には、扱歯１５を螺旋状に植設した扱胴１６が前後水平に軸支された扱室１７が設けられるとともに、扱室１７の下方に沿って受網（コンケーブ）１８が配備され、また、扱室１７の下方には、受網１８から漏下した処理物を１番物（精粒）、２番物、および、排塵とに選別する選別部１９が配備されている。
【００２２】
前記選別部１９には、受網１８から漏下した処理物を後方に揺動移送しながら篩い選別する選別ケース２０が装備されるとともに、選別部１９の前端部には選別ケース２０に向けて選別風を供給する唐箕２１が配備されており、また、脱穀装置４の後端には、扱室１７の後端下部に形成された送塵口２２から排出された大きいワラ屑類、および、選別部の後端に形成された排塵口２３から排出されたワラ屑類を細断処理する回転チョッパ２４が配備されている。
【００２３】
前記受網１８は、前後方向に２分割されるとともに、前半部および後半部がそれぞれ周方向に２分割された２枚づつの受網部分１８ａ，１８ｂで構成されている。図５〜８に示すように、各受網部分１８ａ，１８ｂは、部分円弧状の支持枠２６に打抜き鋼板２７を張付けて構成されており、これら受網部分１８ａ，１８ｂが以下のように脱着されるようになっている。
【００２４】
図９〜１１に示すように、前記扱室１７の下部には、受網取付け用の支持枠２８が固定配備されており、受網１８を構成する４枚の受網部分１８ａ，１８ｂのうち、内側に位置する受網部分１８ａは扱室１７の上部を覆う扱胴カバー２９を機体内側の支点ａ周りに揺動開放することで、支持枠２８に備えられた円弧状レール部分２８ａに沿って扱室上方から挿抜することができるようになっている。また、前記支持枠２８には扱胴１６の略直下に位置して扱室全長に亘る断面形状Ｕ形の支持枠部分２８ｂが備えられており、この支持枠部分２８ｂに形成された係止溝３９に、外側に位置する受網部分１８ｂの内端部３７が係入支持されている。なお、外側に位置する受網部分１８ｂの内端部３７は筒状に屈曲形成されている。
【００２５】
扱室１７の横外側上部には、扱室全長に亘って角パイプ構造の脱穀フレーム３０が配備されており、この脱穀フレーム３０に受網支持用の係止部材３１が支点ｂ周りに揺動開閉自在に装着されている。この係止部材３１は、その支点ｂに備えたねじりバネ３２によって揺動付勢されており、揺動付勢された係止部材３１で受網部分１８ｂの外端部が係止されることで所定の取り付け位置に仮り受け支持されるようになっている。
【００２６】
扱室１７の横外側には、外側の受網部分１８ｂの脱着や選別部１９の掃除、等を行う点検口３３が扱室全長に亘って形成されるとともに、点検口３３が開閉自在なカバー３４で閉塞されている。このカバー３４は前記脱穀フレーム３０に支点ｃ周りに揺動開閉可能に連結されており、上方へ持ち上げ揺動してガススプリング３５で保持しておくことで、点検口３３を開放状態に維持しておくことができ、ガススプリング３５に抗してカバー３４を引き下げ揺動して、その下部を係止ロック機構３６に係止固定することで点検口３３を閉じることができるようになっている。
【００２７】
また、前記カバー３４の支点ｃ近傍の内側面が押圧作用部３４ａに構成されており、カバー３４が閉じ位置にある時、前記押圧作用部３４ａが前記係止部材３１を外側から接当支持することで係止部材３１が係止解除方向に揺動することが阻止されるようになっている。
【００２８】
外側の受網部分１８ｂを脱着する場合には、先ず、カバー３４の下方の取っ手３８を操作して係止ロック機構３６の係止を解除し、カバー３４を持ち上げ揺動して開放姿勢に保持する。このカバー３４の開放によって押圧作用部３４ａが係止部材３１の接当押圧を解除するが、係止部材３１が揺動付勢力によって受網支持状態を維持する。次に、手作業で係止部材３１をねじりバネ３２に抗して上方に揺動操作することで受網部分１８ｂの外端部の係止を解除することができ、受網部分１８ｂを内端部３７の係止箇所を支点にして外方に揺動させた後、受網部分１８ｂを係止溝３９から抜き外して点検口３３から取り出すことができる。
【００２９】
受網部分１８ｂの取り付けにおいては、先ず、受網部分１８ｂを少し横倒しした姿勢で点検口３３に挿入してその内端部３７を係止溝３９に係入し、次に、その係止箇所を支点にして受網部分１８ｂを上方に振り上げる。この場合、係止部材３１をねじりバネ３２に抗して持ち上げ揺動させておき、振り上げた受網部分１８ｂの外端部を所定の取り付け位置に移動させる。この状態で係止部材３１を付勢揺動させることで受網部分１８ｂの外端部を所定の取り付け位置に仮り受け保持しておくことができる。その後、カバー３４を閉じて固定することで、カバー３４の押圧作用部３４ａが係止部材３１を外側から接当押圧することで受網部分１８ｂが適正な作用位置に固定される。
【００３０】
〔別実施例〕
【００３１】
本発明は、以下のような形態で実施することもできる。
【００３２】
（１）上記実施例では、受網部分１８ｂの外端部を所定の取付け位置に係止部材３１で仮り受けした状態で、この係止部材３１の後退移動をカバー３４の押圧作用部３４ａで接当阻止する構造としているが、係止部材３１で仮り受けした受網部分１８ｂの外端部あるいは漏下面から外れたその他の適所をカバー３４の押圧作用部３４ａで押圧支持する構造で実施することもできる。
【００３３】
（２）受網部分１８ｂの外端部を所定の取付け位置に仮り受け支持する係止部材３１として、スライド出退自在かつ係止方向に突出付勢されたピン状のものに構成し、これを受網部分１８ｂの外端部などに形成した係止孔に係入させる形態で実施することもできる。この場合、カバー３４の押圧作用部３４ａは受網部分１８ｂの外端部あるいは漏下面から外れたその他の適所に作用させるようにする。
【図面の簡単な説明】
【００３４】
【図１】コンバインの全体側面図
【図２】コンバインの全体平面図
【図３】脱穀装置の縦断側面図
【図４】脱穀装置の縦断正面図
【図５】内側の受網部分の展開図
【図６】内側の受網部分受網の正面図
【図７】外側の受網部分の展開図
【図８】外側の受網部分受網の正面図
【図９】脱穀装置の開放状態を示す縦断正面図
【図１０】受網装着途中状態を示す縦断正面図
【図１１】受網装着状態を示す縦断正面図
【符号の説明】
【００３５】
１６              扱胴
１８              受網
１８ｂ            受網部分
２８              支持枠
３０              脱穀フレーム
３１              係止部材
３３              点検口
３４              カバー
３４ａ            押圧作用部
３７              内端部
【図１】
2006311820.tif 000003
【図２】
2006311820.tif 000004
【図３】
2006311820.tif 000005
【図４】
2006311820.tif 000006
【図５】
2006311820.tif 000007
【図６】
2006311820.tif 000008
【図７】
2006311820.tif 000009
【図８】
2006311820.tif 000010
【図９】
2006311820.tif 000011
【図１０】
2006311820.tif 000012
【図１１】
2006311820.tif 000013